(57)【要約】【課題】  インクタンク、プリンタヘッドあるいはインクリボンカートリッジ等、消耗部品の交換の作業性を向上させるとともに、他の機能を制限しないで交換可能な操作性に優れた交換方法ならびに装置構成を提案すること。【解決手段】  原稿搬送経路を記録紙搬送経路の上方に配置し、読取原稿搬送の領域外で、且つプリンタヘッドの移動領域内に前記インクタンク等消耗部品の交換用の蓋部材を設けた。また、蓋部材はプリンタヘッドメンテナンス用の機構を設けた待機位置とは反対側に設ける。さらに、操作部を原稿搬送経路の上方に設ける。また、ハンドセット載置エリアを交換位置とオーバーラップさせて構成する。【選択図】  図１
2006239934.tif 000002
【特許請求の範囲】
【請求項１】
インクを蓄えたインク貯蔵部と、該インクを記録紙に印字するプリンタヘッドを有し、
該プリンタヘッドに対して前記インク貯蔵部は着脱可能に構成され、
前記プリンタヘッドは記録紙搬送方向に対して直交する方向に往復移動するよう構成された記録部と、
原稿の画像情報を光学的に読み取る読取部と、
記録部に記録紙を給送する記録紙給送部と、記録部から記録紙を排出する記録紙排紙部と、
読取部に原稿を給送する原稿給送部と、読取部から原稿を排出する原稿排紙部とを有した画像読取記録装置であって、
原稿給送部から原稿読取部を経て原稿排出部に至る原稿搬送経路を、記録紙給送部から記録部を経て記録紙排出部に至る記録紙搬送経路の上方に配置し、
読取原稿の搬送領域外で、且つプリンタヘッドの移動領域内に前記インク貯蔵部の交換用の蓋部材を設けたことを特徴とする画像読取記録装置。
【請求項２】
前記プリンタヘッドは記録部に対して着脱可能に構成され、前記インク貯蔵部と前記プリンタヘッドの少なくともどちらか一方、あるいは両方が交換可能に構成されていることを特徴とする請求項１に記載の画像読取記録装置。
【請求項３】
前記記録部は、前記プリンタヘッドが待機する待機位置を有し、該待機位置には前記プリンタヘッドをメンテナンスする機構部を備え、前記蓋部材は待機位置と反対側に設けてあることを特徴とする請求項１または２に記載の画像読取記録装置。
【請求項４】
少なくとも信号を入力するボタン部と動作状況を表示する表示部を備えた操作部を有し、該操作部は前記原稿搬送経路の上方に設けられていることを特徴とする請求項１ないし３に記載の画像読取記録装置。
【請求項５】
前記画像読取記録装置は通信回線を介して通話を行う通話制御部と、
送話あるいは受話を行うハンドセットを備え、
該ハンドセットを載置する領域であって、前記ハンドセットの支持部を除いた部分が前記蓋部材の一部として構成されていることを特徴とする請求項１ないし４に記載の画像読取記録装置。
【請求項６】
前記画像読取記録装置は通信回線を介して通話を行う通話制御部と、
送話あるいは受話を行うハンドセットを備え、
前記蓋部材に該ハンドセットを載置する載置部が設けられていることを特徴とする請求項１ないし５に記載の画像読取記録装置。
【請求項７】
前記蓋部材は装置本体に対してスライド可能に構成されていることを特徴とする請求項１ないし６に記載の画像読取記録装置。
【請求項８】
前記蓋部材は装置本体に対して軸支され回動可能に構成されていることを特徴とする請求項１ないし６に記載の画像読取記録装置。
【請求項９】
前記記録部はインクを記録紙に吐出して記録を行うインクジェットプリンタであることを特徴とする請求項１ないし８に記載の画像読取記録装置。
【請求項１０】
前記記録部はフィルム材に塗布したインクを記録紙に熱により溶融転写させて記録を行う熱転写プリンタであり、前記インク貯蔵部は前記フィルム材をロール状に巻きつけたリール部材を収納して構成されていることを特徴とする請求項１ないし８に記載の画像読取記録装置。
【請求項１１】
前記蓋部材は装置の左側に設けられていることを特徴とする請求項９または１０に記載の画像読取記録装置。
【発明の詳細な説明】
【技術分野】
【０００１】
本発明は、原稿の画像を読み取る読取り部と、シート材に画像を印字する記録部を有する、ファクシミリ、複写機、スキャナプリンタなどの画像読取記録装置に利用できる。
【背景技術】
【０００２】
ファクシミリや複写機、スキャナ付プリンタに代表される画像読み取り記録装置は、近年一般家庭やＳＯＨＯのような小規模オフィスにも広く普及してきた。しかしこれらの一般家庭やＳＯＨＯはこれらの機器に広いスペースをなかなか確保できない事情があり、省スペースの観点から装置の小型化が望まれている。読み取り部に関しては、コンタクトイメージセンサの採用などで、読み取り部の小型化が図られている。一方記録部にはレーザービームプリンタやインクジェットプリンタ、熱転写プリンタ等様々な記録方式のプリンタが用いられているが、中でも小型化が容易でかつ廉価に構成可能でカラー印字への対応も容易なインクジェット方式や熱転写方式が広く用いられている。これらインクジェット方式や熱転写方式のプリンタは記録紙搬送方向に対して直交する方向に往復移動するキャリッジ部を備えているのが一般的である。インクジェット方式では該キャリッジ部にインクを吐出するプリンタヘッドが着脱可能に構成され、さらに該プリンタヘッドにはインクを蓄えたインクタンクが着脱可能に構成されている。これによりインクの消費に応じて新しいインクタンクと交換することができるようになっている。また、プリンタヘッドをカラー印字用とモノクロ印字用の２種類を用意し必要に応じてプリンタヘッドを交換して使う機種もある。また、インクタンクとプリンタヘッドが一体で構成され、インクを使い切るとプリンタヘッドごと交換するタイプの製品もある。一方熱転写方式ではキャリッジ部にインクリボンに塗られたインクを熱で溶かしながら記録紙に転写させるヘッド部を設け、かつインクリボンを収納したカートリッジがキャリッジ部に対して着脱可能に構成されている。これらのプリンタに共通するのは、往復移動するキャリッジ部に対して消耗部品を着脱可能に構成し、交換可能としていることであり、これによりプリンタとしてのランニングコストを少なく抑えることができるのが特徴である。
【０００３】
上述したプリンタを記録部に使った画像読み取り記録装置の従来の構成を説明する。図９、１０はそれぞれ従来の装置構成を説明する斜視図、断面図である。この従来例においては、ファクシミリを例にとって説明するが、複写機、スキャナプリンタ等それ以外の機器においても同様である。１０１は本従来例のファクシミリ装置本体である。１０２は原稿読み取り部（二点鎖線内）であり、該原稿読み取り部１０２は原稿を一枚ずつ分離する分離部１０２ａ、原稿面を光学的に読み取るコンタクトイメージセンサ（以下ＣＩＳ）１０２ｂ、ＣＩＳ１０２ｂに対向して原稿を読み取り面に押圧しかつシェーディング補正時の白基準となる白基準板１０２ｅ、原稿をコンタクトセンサに導く原稿給送部１０２ｃ、読み取り工程の完了した原稿を機外に排出する原稿排紙部１０２ｄ等から構成されている。１０３は読み取り部によって読み取ったあるいは受信した画像イメージを記録紙に記録する記録部（二点鎖線内）である。本従来例では記録方式にインクジェット方式を用いているが熱転写方式であってもその他の方式であっても記録紙搬送方向に対して直交する方向に往復移動するキャリッジ部を備えている記録部であれば同様である。１０８は図１０に対して前後に往復移動するキャリッジ部で、プリンタヘッド１０８ａ・インクタンク１０８ｂを着脱可能に構成されている。記録部１０３は記録紙を一枚ずつ分離する分離部１０３ａ、印字を行うプリンタヘッド部１０８ａが装着されたキャリッジ部１０８、記録紙を印字位置まで搬送する搬送部１０３ｂ、印字工程が終了した記録紙を機外に排出する排紙部１０３ｃ等から構成されている。１１１，１１２，１１３、１１４はそれぞれ原稿挿入口、原稿排出口、記録紙挿入口、記録紙排出口である。矢印Ｄは原稿搬送経路で、原稿挿入口１１１から原稿分離部１０２ａ、原稿給送部１０２ｃ、ＣＩＳ１０２ｂ、原稿排紙部１０２ｄを経て原稿排出口１１２から機外に排出される。矢印Ｋは、記録紙搬送経路で、記録紙挿入口１１３から記録紙分離部１０３ａ、記録紙搬送部１０３ｂ、プリンタヘッド部１０８ａを装着されたキャリッジ部１０８で構成される印字部、記録紙排紙部１０３ｃを経て、記録紙排出口１１４から機外に排出される。原稿搬送経路は記録紙搬送経路の上に位置している。１０３ｄは記録紙搬送経路に対して直交する方向に設けられたガイドシャフトでキャリッジ部１０８はこのガイドシャフト１０３ｄにガイドされて記録紙搬送方向に対して直交する方向に往復移動しつつ搬送されてきた記録紙に印字を行う。
【０００４】
１０４は装置の操作を行う操作パネルであり、操作パネル１０４には装置の動作状況や送受信情報等を表示する表示部１０６と装置の操作を行うためのボタン類１０７が配置されている。また、１０５は送・受話を行うためのハンドセットである。操作パネル１０４は原稿搬送経路の上側一部と一体的に構成され不図示のヒンジ部を支点に装置本体に対して開閉可能に構成されている。図１１は操作パネル１０４を開放した状態を説明する斜視図である。１０９はプリンタカバーで操作者はこのカバーを開いてインクタンク１０８ｂあるいはプリンタヘッド１０８ａの交換を行うことができる。
【０００５】
又、従来例としては、例えば特許文献１と特許文献２をあげることが出来る。
【特許文献１】特開２００２−２６１９９９号公報
【特許文献２】特開２００４−８２４７８号公報
【発明の開示】
【発明が解決しようとする課題】
【０００６】
上述した装置構成では、操作者がインクタンク１０８ｂあるいはプリンタヘッド１０８ａの交換をしようとした場合、操作パネル１０４を開きプリンタカバー１０９を開いて、インクタンク交換を行うための交換ボタン（不図示）を押下してプリンタヘッド・インクタンクを装着するキャリッジ１０８を交換可能なポジションに移動させることでインクタンクやプリンタヘッドに操作者がアクセス可能な状態にして交換作業を行う。このため、インクタンク交換にたどり着くまでの手順が多く作業が煩わしいという問題があった。
【０００７】
また、交換作業の際には、操作パネル１０４を開くためパネルの表面が操作者に対して扱いにくい方向に向き、表示部１０６の表示情報が見づらくなったり、ボタン操作がしづらいといった操作性が悪くなる不具合がある。さらに、原稿搬送経路を開放してしまうためインクタンク等の交換作業中は原稿搬送すなわち原稿読み取りが行えず操作性が悪くなるという不具合もある。
【０００８】
さらに、原稿搬送路を開放すると白基準板１０２ｅが露出しているため、操作者がインクタンク交換する際に不用意に触れて白基準板をインクで汚してしまい、操作者が意図しないところで読み取り画像品位が落ちてしまったり、原稿通紙面を汚してその結果原稿汚れを引き起こす畏れもあった。
【０００９】
このように、インクタンクの交換に伴って、本来インクタンク交換作業とは無関係であるはずの操作パネルの表示部やボタン類、あるいは読み取り部の操作が制限されたり、さらに読み取り画像品位の低下を誘発するような不都合な点があった。
【００１０】
上記の問題はインクジェット方式のプリンタ以外でも起こる問題である。
【００１１】
上記不具合点を鑑み、本発明では、インクタンク、プリンタヘッドあるいはインクリボンカートリッジ等、消耗部品の交換の作業性を向上させるとともに、他の機能を制限しないで交換可能な操作性に優れた交換方法ならびに装置構成を提案することが課題である。
【課題を解決するための手段】
【００１２】
上記課題を解決するために、インクを蓄えたインク貯蔵部と、インクを記録紙に印字するプリンタヘッドを有し、プリンタヘッドに対してインク貯蔵部は着脱可能に構成され、プリンタヘッドは記録紙搬送方向に対して直交する方向に往復移動する記録部と、原稿の画像情報を光学的に読み取る読取部と、記録部に記録紙を給送する記録紙給送部と、記録部から記録紙を排出する記録紙排紙部と、読取部に原稿を給送する原稿給送部と、読取部から原稿を排出する原稿排紙部とを有した画像読取記録装置であって、原稿給送部から原稿読取部を経て原稿排出部に至る原稿搬送経路を、記録紙給送部から記録部を経て記録紙排出部に至る記録紙搬送経路の上方に配置し、読取原稿搬送の領域外で、且つプリンタヘッドの移動領域内に前記インク貯蔵部の交換用の蓋部材を設けたことを特徴とする。これにより原稿搬送経路とインク貯蔵部交換位置が干渉することもなく、原稿読み取り中であっても交換作業が可能となり装置の操作性が改善される。
【００１３】
また、プリンタヘッドが記録部に対して着脱可能に構成され、インク貯蔵部とプリンタヘッドの少なくともどちらか一方、あるいは両方が交換可能に構成されていることを特徴とする。これにより、カラー／モノクロ設定等のある記録部においても専用のプリンタヘッドあるいはインク貯蔵部の交換の作業性が向上する。
【００１４】
また、記録部は、プリンタヘッドが待機する待機位置にプリンタヘッドをメンテナンスする機構部を備え、蓋部材は待機位置と反対側に設けてあることを特徴とする。これにより、交換位置とメンテナンス部とを遠ざけることができ、交換作業中に操作者が誤って記録部のメンテナンス機構部に触れて記録画質の劣化を招くこともなく、交換作業について操作者に注意を払わせるなどの負担をかけることもなく交換の作業性を向上できる。
【００１５】
さらに操作部を原稿搬送経路の上方に設けていることを特徴とする。これにより、インク貯蔵部等の交換作業中に操作部を使った操作、例えばキー入力や表示部の表示情報の読み取りなどが可能となり、装置の操作性が向上する。
【００１６】
また、ハンドセットを載置する領域であって、ハンドセットの支持部を除いた部分が蓋部材の一部として構成されていることを特徴とする。これにより、インク貯蔵部交換作業中であってもハンドセットへのアクセスは可能であり、装置の操作性を損なうこともなく、またハンドセット載置エリアを交換位置とオーバーラップさせることで装置の空間利用の効率がよく装置の小型化も図れる。あるいは、蓋部材にハンドセットを載置する載置部が設けられていることを特徴とすることでも同様である。
【００１７】
また、蓋部材は装置本体に対してスライド可能に構成されていることを特徴とする。これにより蓋部材にハンドセット載置部を設けても、蓋部材の開閉時にハンドセットが載置部から脱落しないように構成でき交換時の作業性を損なわない。
【００１８】
あるいは、蓋部材を装置本体に対して軸支し回動可能に構成したことを特徴とする。これにより交換作業中に蓋部材の紛失を防止できる。
【発明の効果】
【００１９】
上述したように記録紙搬送経路の上方に原稿搬送経路を設け、原稿搬送経路の原稿幅の領域外でキャリッジの移動領域内にインクカートリッジ等の消耗部品の交換するための開閉カバー部材を設けることで、操作パネルの開放等を伴わずインクカートリッジ等を交換でき、交換作業の作業性を良くすることができる。また、インクカートリッジ交換中に原稿読み取りを行えるなど、交換作業以外の機能の制約がなくなる。
【００２０】
また、原稿搬送経路の上方に操作パネルを配置しているので、インクカートリッジ等の交換の際、交換作業中に操作パネルの表示部を見ながらまたは、ボタン類の操作（例えばメール文書入力）を行いながらインクカートリッジ等の交換を行えるなど操作性が向上する。また、交換作業のガイダンスを表示部に表示してユーザーインターフェースを向上させることができる。
【００２１】
また、キャリッジの待機位置をインク交換位置と反対側に配置し、操作者が容易には触れられないよう構成し、操作者が不用意にメンテナンス部に触れて記録画質が低下するのを防止し、画質の安定を図ることができる。
【００２２】
また、ハンドセットをインクカートリッジ交換位置の上方に設け、ハンドセットを載置する領域とインクカートリッジ交換位置、あるいは原稿読み取りの駆動系とインクカートリッジ交換位置を装置の幅方向でオーバーラップさせることで装置の空間利用の効率を上げることができ装置の小型化を図ることができる。
【発明を実施するための最良の形態】
【００２３】
（第１の実施例）
本発明をファクシミリ装置に適用した実施例を以下に示す。図１、図２はそれぞれ本実施例を説明する斜視図、断面図である。１はファクシミリ装置本体である。２は記録紙を１枚ずつ分離給送するＡＳＦ（Ａｕｔｏ  Ｓｈｅｅｔ  Ｆｅｅｄｅｒ）部、３はＡＳＦ部２から搬送された記録紙に画像を記録する記録部、４は原稿を１枚ずつ分離給送するＡＤＦ（Ａｕｔｏ  Ｄｏｃｕｍｅｎｔ  Ｆｅｅｄｅｒ）部、５はＡＤＦ部４から搬送された原稿の画像を読み取る読取り部で、前記記録部３の下流側に配置されている。６は装置本体に着脱可能に構成され、本体に装着時は読取り部の一部を形成するハンドスキャナ部、７は装置本体１の操作を行うためのボタン類７１や装置の状態を示す表示部７２を設けた操作パネル部である。８は送・受話を行うためのハンドセットであり電気基板Ｅに実装され電話回線とつながった通話制御部（不図示）と接続されている。
【００２４】
まず記録動作の説明をする。矢印Ｓは記録紙の搬送方向をあらわす。１１は装置後方に取り付けられたトレイで、不図示の軸部を支点に開閉可能に構成されたトレイ１１ａとトレイ１１ｂで構成されている。トレイ１１ｂはＡＳＦ部２にセットされた記録紙の後端が垂れ下がらないように支持し、トレイ１１ａはＡＤＦ部４にセットされた原稿のトレイとし機能する。１２は記録紙を装置１に積載するための開口部である。２１は圧板で支点２１ａを中心に上下回動可能に構成され、その上面に複数枚の記録紙が積載載置される。２２は押圧バネであり圧板２１を上方へ加圧・回動させる。圧板は初期状態では押圧バネ２２の押圧力に抗して下方で保持されている。２３は記録紙幅スライダで、記録紙の幅方向の動きを規制する。２４は記録紙ピックアップローラ、２５は記録紙を１枚ずつ分離する分離シートである。２６は１枚ずつ分離給送された記録紙の先端を検知するセンサである。
【００２５】
３０はキャリッジで、３１は記録紙にインクを吐出し画像を記録する装置本体１に対して着脱可能なインクカートリッジである。インクカートリッジ３１はインクを吐出するプリンタヘッド３１ａとインクを蓄えるインクタンク３１ｂからなり、プリンタヘッド３１ａはキャリッジ３０に対して着脱可能に構成され、インクタンク３１ｂはプリンタヘッド３１ａに対して着脱可能に構成されている。即ち装置本体１に対してインクタンク３１ｂのみあるいはプリンタヘッド３１ａを含めてインクカートリッジ３１を交換することができ必要に応じて消耗部品を交換することができる。３２はガイドシャフトで、キャリッジ３０が記録紙搬送方向に直交する方向すなわちプリンタヘッド３１ａによる印字方向が記録紙の幅方向に往復動作する際のガイドとなる。３３は給送ローラ、３４は不図示のバネにより給送ローラ３３に圧接し給送ローラに従動するピンチコロである。３５は拍車、３６は拍車に圧接する排紙ローラである。
【００２６】
記録を開始する信号が送られると、不図示の記録紙搬送モータが回転し圧板２１の保持状態を解除し開口部１２に積載されている記録紙先端を上方へ持ち上げると共に、ピックアップローラ２４を時計方向に回転させる。圧板２４に積載された記録紙の上層部はピックアップローラ２４に接し矢印Ｓの方向に搬送され、分離シート２５により下層の記録紙が堰きとめられて最上部の記録紙が１枚ずつ分離されて、記録部へと搬送される。１枚に分離された記録紙先端をセンサ２６により検知した後、所定ステップ数モータを回転させて、記録紙を給送ローラ３３とピンチコロ３４のニップ部で挟持しインクカートリッジ３１の下の印字位置まで記録紙先端を搬送していったん停止する。そして、この時圧板２１は初期状態で保持され待機状態となる。次に、インクカートリッジ３１を不図示のモータで駆動し記録紙の幅方向に１往復させて、印字位置まで搬送された記録紙にインクを吐出させて画像を記録する。インクカートリッジ３１には記録紙搬送方向に数ライン分のインク吐出ノズルが設けられてあり、インクカートリッジ３１の１往復で数ライン分の画像を記録することができる。インクカートリッジ３１が１往復分動作終了すると、記録紙搬送モータを回転させ記録紙をインクカートリッジ３１の１往復で記録したライン数分搬送し次の画像データを新たに記録する。以下インクカートリッジ３１の往復動作と記録紙の搬送動作を順次繰り返して記録紙に画像を記録する。１ページ分の画像データが終了するか、センサ２６が記録紙の後端を検知して所定ステップ数記録紙を搬送したところで記録紙後端が印字位置にくると記録紙１ページ分の記録動作を終了し装置本体１の前面の下方に設けられた開口部１３に排出し一連の動作を終了する。次ページの画像データがあれば、上記の一連の動作を繰り返し記録を行う。
【００２７】
次に、読取り動作の説明をする。矢印Ｇは原稿の搬送経路を示す。１４は原稿をセットするための開口部、１５はセットされた原稿の幅方向を規制する原稿スライダーである。５７は原稿の有無を検知するセンサである。４１は分離ローラ、４２は支点４２ａを中心に回動可能に設けられた摩擦片で、４３は該摩擦片４２を反時計方向に付勢するバネで、分離ローラ４１に摩擦片４２が圧接するよう構成されている。
【００２８】
５１は給送ローラ、５２は給送ローラ５１に対向する給紙コロで板バネ５５で給送ロ−ラ５１に圧接するよう構成されている。６１は原稿の画像情報を読み取るコンタクトイメージセンサ（ＣＩＳ）で、５４はＣＩＳ６１に対向する位置に設けられた読取り白基準板で、ＣＩＳ６１が原稿を読み取る前に該白基準板５４の表面を読取り、読取り信号の出力レベルの補正を行い、原稿読取り中は原稿の上方（裏側）から自重で乗り原稿のばたつきを防止する。ＣＩＳ６１の下流側には排紙ローラ５３と従動するローラ６２が対を成して配置されている。ハンドスキャナ６は加圧機構によって上方に付勢されその結果ローラ６２は排紙ローラ５３に圧接されている。５６はハンドスキャナ６の装置本体１への着脱状態を検知するセンサである。
【００２９】
原稿が開口部１４にセットされてセンサ５７が原稿のセットを検知し、操作者が操作パネル部７に設けられた読取り開始ボタン（不図示）を押下すると不図示の読取りモータが回転し分離ローラ４１を反時計方向に駆動する。原稿は反時計方向に回転する分離ローラ４１と圧接する分離片４２によって捌かれつつ下流方向に搬送され、最下層の１枚のみが分離され原稿読取り部５へ搬送される。ＡＤＦ部４で分離された原稿は給送ローラ５１と給送コロ５２のニップ部に導かれ、挟持搬送される。給送ローラ５１付近に設けられた不図示のセンサにより原稿先端を検知すると読取りモータは所定のステップ数回転したのち停止し、原稿をＣＩＳ６１手前の所定の位置で停止させる。その後、ＣＩＳ６１が白基準板５４のシェーディングデータを読み取り、読取り信号の出力レベルの補正を行う。そして、再度読取りモータを回転させ原稿を所定ステップ数搬送しＣＩＳ６１の読取りラインに到達させた後、原稿の下面を１ラインずつ順次読み取る。読取りを終えた原稿は排紙ローラ５３とローラ６２のニップ部に導かれて挟持搬送され装置前面に設けられた開口部１６から機外へ排出される。原稿が複数枚セットされている時は、センサ５７が原稿なしを検知するまで、読取りモータを回転させて、ＡＤＦ部４で原稿を１枚ずつ分離・搬送し、順次ＣＩＳ６１で画像データを読み取る動作を繰り返す。
【００３０】
次に、インクタンク３１ｂあるいはインクカートリッジ３１の消耗部品の交換作業について説明する。図３、図４は、それぞれ交換作業を説明する図であり、交換用のカバーを閉じた状態と開いた状態を示す。８０はインクカートリッジ３１あるいはインクタンク３１ｂ交換用のカバーであり、記録部３の横の位置に配置されている。このカバー８０は装置本体１に対してヒンジ部８０ａを中心に開閉可能に構成され、カバー８０を開くとキャリッジ３０（インクカートリッジ３１も含む）の往復移動領域内でかつ原稿の通紙幅領域外にインクカートリッジ３１（またはインクタンク３１ｂ）の交換作業に必要な開口部９０を形成する。通常キャリッジ３０はホームポジションに位置し記録動作に備えて待機している。該ホームポジションにはプリンタヘッド３１ａのクリーニングやキャッピングを行うメンテナンスのための機構部が設けられ、プリンタヘッド３１ａへのごみの付着の防止や、インクの目詰り防止や、インクの蒸発防止等がなされている。これによりプリンタヘッド３１ａの状態が常に良好に保たれ、安定した記録画質が得られる。そのためホームポジションにあるキャリッジ３０やメンテナンスのための機構部に操作者が容易に触れることができると、十分なメンテナンスができなくなるなど高画質を維持するためには好ましいことではない。そこで上記内容を鑑み、本実施例ではホームポジションをキャリッジ３０の移動領域の右側、すなわち装置の右側に配置し、待機中のキャリッジ３０（インクカートリッジ３１）に操作者が不用意に触れて意図しない画質の劣化を招いてしまうことを防いでいる。
【００３１】
インクカートリッジ３１等を交換する場合、カバー８０を開き装置に設けられた交換ボタン（不図示）を押下しホームポジションに待機しているキャリッジ３０を開口部９０がある装置左側まで移動させ、開口部９０からインクカートリッジ３１等にアクセス可能な状態にして、所望の交換作業を行う。
【００３２】
開口部９０はハンドセット８の下方に形成され、ハンドセット８の載置部を残してカバー８０が開閉するよう構成されている。このため、インクタンク交換中に電話がかかってきたとしてもなんら支障なくハンドセット８を取り上げ電話に応答することができる。
【００３３】
次に、原稿と記録紙の通紙領域と、記録部、読み取り部の位置関係について詳細に説明する。図５は記録部と読み取り部の主な部分を抜き出した斜視図であり、図６は幅方向に位置関係を説明した略図である。矢印３７は記録紙搬送経路Ｓをあらわし、矢印４５は原稿搬送経路Ｇをあらわす。また３８は記録部３の右側のホームポジションに設けられたメンテナンス部でありインクカートリッジ３１はここで待機してプリンタヘッド３１ａのクリーニングやキャッピング等のメンテナンスを行う。５８は読み取り部のローラを駆動するためのギア列である。メンテナンス部３８はキャリッジ３０の待機位置としているため通紙領域外に設ける必要がある。このため、キャリッジ３０の往復移動領域の右端側を待機位置とし、左端側をインクカートリッジ３１交換位置として使い、待機位置は操作者が容易にアクセスできないように構成し、左側に開閉カバー８０設け待機位置と反対側でインクカートリッジ３１の交換作業を行えるよう構成されている。また、原稿搬送経路４５は記録紙搬送経路３７の上方かつ装置の右寄りに、インクカートリッジ３１の交換位置に干渉しない位置に配置されている。原稿搬送の駆動系５８は記録部３の手前側で記録紙搬送経路３７ならびに原稿搬送経路４５の左側のスペースに配置し、装置の空間利用の効率を上げている。また、ハンドセット８をインクカートリッジ交換位置ならびに駆動系５８の上方に配置し、かつハンドセット載置部と干渉しない位置にカバー８０を設けている。これにより、読み取り部、記録部を効率よく配置し装置の小型化を図れる。それとともに、従来のようにインクカートリッジ交換のために操作パネル７を開く必要がなく、すなわち原稿搬送路を開放して読み取り動作が制限されたり、操作パネル７の表示部やボタン類が操作しにくかったりといった不具合なくインクカートリッジを交換することがでる。さらには、交換作業中に表示部をみることができるため、交換作業のガイダンスを表示するなどユーザーインターフェースを向上させることもできる。また、カバー８０がハンドセット載置部と干渉しない位置に配置されているため交換作業中は電話ができないといった不具合もない。
【００３４】
図７はカバーを装置に対してスライドさせて交換作業を行う実施例を説明した図である。同一番号を付した部分については同一の機能、働きを有するものとして説明を省略する。８１は装置１に対して矢印Ｘ方向にスライド開閉可能なカバーであり、該カバーを装置から離間する方向にスライドさせてインクカートリッジ等を交換するための開口部９１を形成する。またカバー８１はハンドセット８の載置部も兼ねていて、スライド時にはハンドセット８ごと移動する。このように構成することで通常使用時はハンドセットがインクカートリッジ交換位置とオーバーラップする位置にあるが、インクカートリッジ交換時にはハンドセット８ごとカバー８１を移動でき開口部９１を大きく形成することができる。このため操作者が手を入れて作業する空間がより大きく構成でき作業性の向上が図れる。
【００３５】
上述した実施例では、原稿搬送経路、記録紙搬送経路ともに装置後方から前方に向かう略ストレートパスであるが、どちらか一方あるいは両方ともＵターンパス形状であっても同様の効果を得ることができる。
【００３６】
また記録部にインクジェットプリンタを用いているがそのほかにも熱転写方式などでもよく、記録紙搬送経路に対して直交する方向に往復移動するプリンタヘッド部を有する方式であれば同様の交換作業性の効果を得られる。
図８に他の実施例を説明する斜視図を示す。
【図面の簡単な説明】
【００３７】
【図１】装置を説明する斜視図
【図２】装置を説明する断面図
【図３】交換作業を説明する斜視図
【図４】交換作業を説明する斜視図
【図５】位置関係を説明する斜視図
【図６】位置関係を説明する略図
【図７】他の実施例を説明する斜視図
【図８】他の実施例を説明する斜視図
【図９】従来例を説明する断面図
【図１０】従来例を説明する断面図
【図１１】従来例を説明する斜視図
【符号の説明】
【００３８】
１  装置本体
１１  トレイ
１１ａ  トレイ
１１ｂ  トレイ
１２  開口部
１３  開口部
１４  開口部
１５  原稿スライダ
１６  開口部
２  ＡＳＦ部
２１  圧板
２２  押圧バネ
２３  記録紙幅スライダ
２４  記録紙ピックアップローラ
２５  分離シート
２６  センサ
３  記録部
３０  キャリッジ
３１  インクカートリッジ
３１ａ  プリンタヘッド
３１ｂ  インクタンク
３２  ガイドシャフト
３３  給送ローラ
３４  ピンチコロ
３５  拍車
３６  排紙ローラ
３７  記録紙搬送経路
３８  メンテナンス部
４  ＡＤＦ部
４１  分離ローラ
４２  分離片
４２ａ  支点
４３  バネ
４５  原稿搬送経路
５  読み取り部
５１  給送ローラ
５２  給送コロ
５３  排紙ローラ
５４  白基準板
５５  板バネ
５６  センサ
５７  センサ
５８  ギア列
６  ハンドスキャナ部
６１  ＣＩＳ
６２  ローラ
６３  把手部
６４  加圧レバー
６５  バネ
６６  位置決め凹部
７  操作パネル部
７１  支点
７２  表示部
８  ハンドセット
８０  交換カバー
８１  交換カバー
８０ａ  ヒンジ部
９０  開口部
９１  開口部
【図１】
2006239934.tif 000003
【図２】
2006239934.tif 000004
【図３】
2006239934.tif 000005
【図４】
2006239934.tif 000006
【図５】
2006239934.tif 000007
【図６】
2006239934.tif 000008
【図７】
2006239934.tif 000009
【図８】
2006239934.tif 000010
【図９】
2006239934.tif 000011
【図１０】
2006239934.tif 000012
【図１１】
2006239934.tif 000013